【手続補正書】
【提出日】平成18年9月4日(2006.9.4)
【手続補正１】
【補正対象書類名】特許請求の範囲
【補正対象項目名】全文
【補正方法】変更
【補正の内容】
【特許請求の範囲】
【請求項１】
ネットワーク内の第１および第２エンドポイントの間の往復遅延（ＲＴＤ）を算出する装置であって、前記ネットワーク内の第１および第２エンドポイント間には中間点が選択されており、前記装置は、
前記中間点から前記第１エンドポイントに向かって、前記中間点に戻るまでの第１データ伝送時間を求め、前記中間点から前記第２エンドポイントに向かって、前記中間点に戻るまでの第２データ伝送時間を求め、前記第１および第２データ伝送時間を加算することにより前記ネットワーク内の第１および第２エンドポイント間の前記往復遅延を求めるネットワークアナライザを有する装置。
【請求項２】
前記第１エンドポイントは第１信号を出力し、
前記ネットワークアナライザは、前記中間点において、前記第１信号にタイムスタンプTime1を付加し、
前記第２エンドポイントは、前記第１信号を受信して、第２信号を出力する、
請求項１に記載の装置。
【請求項３】
前記ネットワークアナライザは、前記第２エンドポイントが前記第１信号を受信する時点と、前記第２エンドポイントが前記第２信号を出力する時点との間の遅延を示す第１のDLSRを求め、前記中間点において前記第２信号にタイムスタンプTime2を付加する、
請求項２記載の装置。
【請求項４】
前記第１エンドポイントは、前記第２信号を受信し、前記ネットワークアナライザは、前記Time2から、前記Time1および前記第１DLSRを減算して、前記第１データ伝送時間を求める、
請求項３に記載の装置。
【請求項５】
前記第１エンドポイントは、第３信号を前記第２エンドポイントに出力し、
前記ネットワークアナライザは、前記第１エンドポイントが前記第２信号を受信する時点と、前記第１エンドポイントが前記第３信号を出力する時点との間の遅延を示す第２のDLSRを求め、前記中間点において前記第３信号にタイムスタンプTime3を付加し、前記Time3から、前記Time2および前記第２のDLSRを減算して、前記第２データ伝送時間を求める、
請求項４に記載の装置。
【請求項６】
前記中間点において、前記ネットワークアナライザは、前記第１信号から、前記第１信号の中間の３２ビットを示すＬＳＲ識別子を抽出し、前記第２信号から、前記第２信号の中間の３２ビットを示すＬＳＲ識別子を抽出し、前記第１信号のＬＳＲ識別子と前記第２信号のＬＳＲ識別子を比較して、ソースとレシーバ間におけるデータの異常な搬送を防止する、
請求項２に記載の装置。
【請求項７】
前記中間点において、前記ネットワークアナライザは、前記第３信号から、前記第３信号の中間の３２ビットを示すＬＳＲ識別子を抽出し、前記第２信号のＬＳＲ識別子と前記第３信号のＬＳＲ識別子を比較して、レシーバとソース間におけるデータの異常な搬送を防止する、
請求項５に記載の装置。
【請求項８】
前記第１エンドポイントは、前記第２エンドポイントと、共通のクロックで同期化されていない、
請求項１に記載の装置。
【請求項９】
ネットワーク内の第１および第２エンドポイントの間の往復遅延（ＲＴＤ）を算出する方法であって、
前記ネットワークの第１および第２エンドポイント間に中間点を選択するステップと、
前記中間点から前記第１エンドポイントに向かい、前記中間点に戻るまでの第１データ伝送時間を求めるステップと、
前記中間点から前記第２エンドポイントに向かい、前記中間点に戻るまでの第２データ伝送時間を求めるステップと、
前記第１および第２データ伝送時間を加算して、前記ネットワーク内の第１および第２エンドポイント間の往復遅延を求めるステップと、
を含む方法。
【請求項１０】
前記第１データ伝送時間を求めるステップは、
前記第１エンドポイントから第１信号を出力するステップと、
前記中間点において、前記第１信号にタイムスタンプTime1を付加するステップと、
前記第２エンドポイントにおいて前記第１信号を受信するステップと、
前記第２エンドポイントから前記第１エンドポイントに第２信号を出力するステップと、
前記第２エンドポイントが前記第１信号を受信する時点と前記第２エンドポイントが前記第２信号を出力する時点間の遅延を示す第１のDLSRを求めるステップと、
前記中間点において、前記第２信号にタイムスタンプTime2を付加するステップと、
前記第１エンドポイントにおいて前記第２信号を受信するステップと、
前記Time2から、前記Time1および前記第１のDLSRを減算して、前記第１データ伝送時間を求めるステップと、
を含む、請求項９に記載の方法。
【請求項１１】
前記第２データ伝送時間を求めるステップは、
前記第１エンドポイントから前記第２エンドポイントに第３信号を出力するステップと、
前記第１エンドポイントが前記第２信号を受信する時点と前記第１エンドポイントが前記第３信号を出力する時点間の遅延を示す第２のDLSRを求めるステップと、
前記中間点において、前記第３信号にタイムスタンプTime3を付加するステップと、
前記Time3から、前記Time2および前記第２DLSRを減算して、前記第２データ伝送時間を求めるステップと、
を含む、請求項１０に記載の方法。
【請求項１２】
前記中間点において、前記第１信号から、前記第１信号の中間の３２ビットを示すＬＳＲ識別子を抽出するステップと、
前記中間点において、前記第２信号から、前記第２信号の中間の３２ビットを示すＬＳＲ識別子を抽出するステップと、
前記中間点において、前記第１信号のＬＳＲ識別子と前記第２信号のＬＳＲ識別子を比較し、ソースとレシーバ間におけるデータの異常な搬送を防止するステップと、
をさらに含む、請求項１０に記載の方法。
【請求項１３】
前記中間点において、前記第３信号から、前記第３信号の中間の３２ビットを示すＬＳＲ識別子を抽出するステップと、
前記中間点において、前記第２信号のＬＳＲ識別子と前記第３信号のＬＳＲ識別子を比較して、レシーバとソース間におけるデータの異常な搬送を防止するステップと、
をさらに含む、請求項１１に記載の方法。
【請求項１４】
前記第１エンドポイントは、前記第２エンドポイントと、共通のクロックで同期化されていない、請求項９に記載の方法。
【請求項１５】
ソースとレシーバとの間のネットワーク内の分析点（ＰＯＡ）に接続されたネットワークアナライザのための方法であって、
前記ソースから前記レシーバに第１信号を出力するステップと
前記ＰＯＡにおいて、前記第１信号にタイムスタンプTime1を付加するステップと、
前記第１信号を前記レシーバにおいて受信するステップと、
前記レシーバから前記ソースに第２信号を出力するステップと、
前記レシーバが前記第１信号を受信する時点と前記レシーバが前記第２信号を出力する時点間の遅延を表す第１のDLSRを求めるステップと、
前記ＰＯＡにおいて、前記第２信号にタイムスタンプTime2を付加するステップと、
前記ソースにおいて前記第２信号を受信するステップと、
第１遅延＝Time2−Time1−第１のDLSRという計算式によって第１遅延を求めるステップと、
を含む方法。
【請求項１６】
前記ソースから前記レシーバに第３信号を出力するステップと
前記ソースが前記第２信号を受信する時点と前記ソースが前記第３信号を出力する時点間の遅延を表す第２のDLSRを求めるステップと、
前記ＰＯＡにおいて、前記第３信号にタイムスタンプTime3を付加するステップと、
第２遅延＝Time3−Time2−第２のDLSRという計算式によって第２遅延を求めるステップと、
をさらに含む、請求項１５に記載の方法。
【請求項１７】
合計往復遅延＝第１遅延＋第２遅延という関係を使用して、合計往復遅延を算出するステップをさらに含む、請求項１６に記載の方法。
【請求項１８】
前記ＰＯＡにおいて、前記第１信号から、前記第１信号の中間の３２ビットを示すＬＳＲ識別子を抽出するステップと、
前記ＰＯＡにおいて、前記第２信号から、前記第２信号の中間の３２ビットを示すＬＳＲ識別子を抽出するステップと、
前記ＰＯＡにおいて、前記第１信号のＬＳＲ識別子と前記第２信号のＬＳＲ識別子を比較して、前記ソースと前記レシーバ間におけるデータの異常な搬送を防止するステップと、
をさらに含む、請求項１５に記載の方法。
【請求項１９】
前記ＰＯＡにおいて、前記第３信号から、前記第３信号の中間の３２ビットを示すＬＳＲ識別子を抽出するステップと、
前記ＰＯＡにおいて、前記第２信号のＬＳＲ識別子と前記第３信号のＬＳＲ識別子を比較して、前記レシーバと前記ソース間におけるデータの異常な搬送を防止するステップと、
をさらに含む、請求項１６に記載の方法。
【請求項２０】
前記レシーバは、前記ソースと、共通のクロックで同期化されていない、
請求項１５に記載の方法。